(57)【特許請求の範囲】
【請求項１】
収納キャビネットと、前記収納キャビネット内に設けた収納ラックと、前記収納ラックを昇降自在に支持する略Ｓの字形アームと略くの字形アームにより構成した回転アームを有する昇降支持装置とからなり、前記収納ラックの最大降下位置において、前記収納キャビネットの底板と前記収納ラックの上端を略同等高さに構成した昇降式収納装置。
【請求項２】
収納ラックは、底面を前面から背面部まで平面形状とした請求項１記載の昇降式収納装置。
【請求項３】
収納ラックは、上方に両側板間を連結するコの字形状の横連結部材を備えた請求項１記載の昇降式収納装置。
【請求項４】
２本の回転アームは、同一平面上に設置した請求項１記載の昇降式収納装置。
【発明の詳細な説明】
【０００１】
【発明の属する技術分野】
本発明は、厨房等で使用する昇降式収納装置に関するものである。
【０００２】
【従来の技術】
従来この種の昇降式収納装置は、図７、図８に示されているようなものがある。この昇降式収納装置は、収納キャビネット１と、収納キャビネット１内に設けた収納ラック２と、収納ラック２を昇降自在に支持する一対の平行アーム３、４を有する昇降支持装置５とで構成されていた。収納ラック２は、平行アーム３、４の回動動作により昇降させることができ、収納ラック２を引き降ろすことにより、高所設置の収納キャビネット１から収納ラック２を降下させて、収納物を低位置で出し入れすることができるようになっていた。なお、６は平行アーム３、４が同期して回動するように平行アーム３の基部間を連結する連動連結軸である。
【０００３】
【発明が解決しようとする課題】
しかしながら、上記従来の昇降式収納装置では、収納ラック２を昇降自在に支持するために昇降支持装置５が有しているアームは平行アーム３、４で構成されており、収納ラック２の昇降ストロークは、平行アーム３、４の長さ、回動角度で決まることになり、収納ラック２を所定位置以下に降下させることができなかった。このため、収納キャビネット１の下側１／３は収納ラック２に塞がれてしまい、落下物が発生しても見えないばかりか、容易に取り出すこともできないという課題を有していた。
【０００４】
また、収納ラック２は、回動昇降時に連動連結軸６および収納キャビネット１底板との接触を避けるために、収納ラック２の後方下部にコーナー逃がし部７が必要となり、平面的な収納面積が減少するという課題を有していた。
【０００５】
【課題を解決するための手段】
本発明は上記課題を解決するために、収納キャビネット内に設けた収納ラックと、前記収納ラックを昇降自在に支持する略Ｓの字形アームと略くの字形アームにより構成した回転アームを有する昇降支持装置とから構成し、かつ前記収納ラックの最大降下位置において、前記収納キャビネットの底板と前記収納ラックの上端を略同等高さに構成したものである。
【０００６】
上記発明によれば、収納ラックの上端が収納キャビネットの底板と略同等高さまで降下することにより、収納ラックの降下ストロークが増大し、収納キャビネットの底板面まで見えやすくなるため、落下物等が発生しても容易に確認することができ、そして、取り出すことができる。
【０００７】
【発明の実施の形態】
上記課題を解決するために本発明は、収納キャビネットと、前記収納キャビネット内に設けた収納ラックと、前記収納ラックを昇降自在に支持する略Ｓの字形アームと略くの字形アームにより構成した回転アームを有する昇降支持装置とからなり、かつ前記収納ラックの最大降下位置において、前記収納キャビネットの底板と前記収納ラックの上端を略同等高さに構成したものである。
【０００８】
したがって、収納ラックの上端が収納キャビネットの底板と略同等高さまで降下することにより、収納ラックの降下ストロークが増大し、収納キャビネットの底板面まで見えやすくなるため、落下物等が発生しても容易に確認することができ、そして、取り出すことができる。また、収納ラックを略同等高さに降下するには回転アームを延長する必要があるが、回転アームを延長することにより大きな円弧の回動となり、収納ラックに従来仕様のコーナー逃がし部を設ける必要がなくなって、収納ラックの底面すべてに平面的な収納面積を確保することができる。また、回転アームを略Ｓの字形アームと略くの字形アームにより構成することにより、略Ｓの字形アームと略くの字形アームとの干渉がなくなり、収納ラックを所定位置まで降下することができる。
【０００９】
収納ラックの底面を前面から背面部まで平面形状としておけば、収納ラックの底面すべてに平面的な収納面積を確保でき、収納容積を拡大することができるし、また、収納ラックの上方に両側板間を連結するコの字形状の横連結部材を備えるようにしておけば、収納ラックと空間を有したコの字形状の横連結部材のため、収納ラックの降下位置において妨げになることなく、収納キャビネットの底板面を容易に確認することができる。
【００１０】
さらに、２本の回転アームを同一平面上に設置して、回転アームの動作に必要な空間を最小限にし、その分収納ラックの容積を拡大することができる。
【００１１】
【実施例】
以下、本発明の実施例について図面を用いて説明する。
【００１２】
（実施例１）
図１は本発明の実施例１の昇降式収納装置の収納ラック降下状態における側断面図、図２は同正面図である。
【００１３】
図において、１１は厨房等の壁面上方に設置された収納キャビネットで、この収納キャビネット１１の庫内両側面には、前方に収納キャビネット１１の底板１１ａとの接触を回避するために屈曲形状とした略Ｓの字形状の第１回転アーム１２と、後方に略くの字形状の第２回転アーム１３とが、同一平面上に平板形状で設置されるとともに、この両アーム１２、１３を軸着する昇降支持装置１４が構成されている。
【００１４】
１５は昇降支持装置１４に配設されゴム状の緩衝材を有したアームストッパーで、略くの字形アーム１３の回動角度を規制するように構成される。１６は対向する略Ｓの字形アーム１２の基部間を連結する連動連結軸で、この連動連結軸１６により両略Ｓの字形アーム１２が同体回動するように構成される。
【００１５】
１７は常時は収納キャビネット１１内に格納される収納ラックで、底面を前面から背面部まで平面形状で構成する本体１８と、本体１８に連結する両側板１９と、線材よりなる２箇所の棚部２０により構成され、両側板１９間は下方をパイプ等よりなる昇降操作用のハンドル２１で、上方は収納高さを規制するコの字形に曲げたパイプ等よりなる横連結部材２２で連結される。２３は側板１９の外に構成した収納部である。
【００１６】
昇降支持装置１４に軸着された略Ｓの字形アーム１２および略くの字形アーム１３の先端は、略中央で屈曲した略くの字形アーム１３を収納ラック１７の側板１９の最上段後方近傍に、また略Ｓの字形アーム１２をその前方に各々軸着することにより、四辺の平行リンク機構が構成されている。
【００１７】
また、平行リンクの補正手段２４として、略Ｓの字形アーム１２の軸着間の直線寸法は、略くの字形アーム１３の軸着間寸法よりも数mm長く構成される。
【００１８】
上記の構成において、収納ラック１７降下時は、ハンドル２２を持って収納ラック１７を引き降ろすと、収納ラック１７は両アーム１２、１３と昇降支持装置１４により、図１に一点鎖線で示す如く円弧状に回動して、最大降下位置に降下される。そして、収納ラック１７の最大降下位置で収納物を出し入れした後、収納ラック１７上昇格納時は、再度ハンドル２２を持って収納ラック１７を押し上げると、収納ラック１７は降下時と同様に円弧状に回動して、収納キャビネット１１内に格納される。
【００１９】
ここで上記収納ラック１７の最大降下位置において、収納キャビネット１１の底板１１ａと収納ラック１７の本体１８上端１８ａの高さは、略同等高さで停止するようにアームストッパー１５で形成される。
【００２０】
次に昇降式収納装置の当社設置例を記すと、収納キャビネット１１の上端を床面から２３００mmの高さに設置することが標準となっている。収納キャビネット１１の高さは７００mmが一般的サイズであり、収納キャビネット１１の底板１１ａの高さは１６００mmとなる。底板１１ａの高さ１６００mmと収納ラック１７の最大降下位置における収納ラック１７の上端１８ａを略同等高さに構成することにより、収納ラック１７内にある棚部２０とお年寄りを除く成人女性の約９０％の目線が同等高さとなり、そして、収納ラック１７の最上部まで手が届く高さとなる。
【００２１】
このように収納ラック１７の最大降下位置において、収納キャビネット１１の底板１１ａと収納ラック１７の上端１８ａを略同等高さに構成してあり、収納ラック１７の上端１８ａが収納キャビネット１１の底板１１ａと略同等高さまで降下することにより、収納ラック１７の降下ストロークが増大し、収納キャビネット１１の底板１１ａ面まで見えやすくなるため、落下物等が発生しても容易に確認することができ、そして、取り出すことができたり、回転アーム１２、１３と昇降支持装置１４の軸着部も見えやすくなるため、ゆるみ等の有無を容易に確認することができる。
【００２２】
また、効果ストロークの増大に伴い、お年寄りを除く成人女性の約９０％が収納ラック１７の内部を十分確認することができる。そして、収納ラック１７の最上部まで手が届く、使い勝手の良い昇降式収納装置を提供することができる。また、収納ラック１７を略同等高さに降下するには回転アーム１２、１３を延長する必要があるが、回転アーム１２、１３を延長することにより大きな円弧の回動となり、収納ラック１７に従来仕様のコーナー逃がし部を設ける必要がなくなって、収納ラック１７の底面すべてに平面的な収納面積を確保することができる。
【００２３】
また、収納ラック１７の底面を前面から背面部まで平面形状としてあり、収納ラック１７の底面すべてに平面的な収納面積を確保でき、収納容積を拡大することができる。
【００２４】
また、収納ラック１７の上方に両側板１９間を連結するコの字形状の横連結部材２２を備えてあり、収納ラック１７と空間を有したコの字形状の横連結部材２２のため、収納ラック１７の降下位置において妨げになることなく、収納キャビネット１１の底板１１ａ面を容易に確認することができる。
【００２５】
また、回転アーム１２、１３を収納キャビネット１１の底板１１ａを回避する屈曲形状
としてあり、収納ラック１７の降下時に回転アーム１２、１３が収納キャビネット１１に接触することや、回転アーム１２、１３同士が干渉することなく、収納ラック１７を所定位置まで降下することができる。
【００２６】
また、回転アーム１２、１３を略Ｓの字形アーム１２と略くの字形アーム１３により構成してあり、先端を再度屈曲した略Ｓの字形アーム１２にすることにより、収納ラック１７の降下時に略くの字形アーム１３との干渉がなくなり、収納ラック１７を所定位置まで降下することができる。
【００２７】
また、２本の回転アーム１２、１３を同一平面上に設置してあり、回転アーム１２、１３の動作に必要な空間が最小限で済むことになり、その分収納ラック１７の容積を拡大することができる。
【００２８】
また、２本の回転アーム１２、１３により平行リンクを構成してあり、極めて簡単な構成で、収納ラック１７の水平状態を維持することができる。
【００２９】
また、平行リンクに収納ラック１７の前傾を補正する補正手段２４を備えてあり、回転アーム１２、１３によって形成される平行四辺形をやや変形することにより、収納ラック１７および収納物の重量によって収納ラック１７が前方に傾斜することを防止することができる。
【００３０】
また、収納ラック１７に複数の棚部２０を構成してあり、収納ラック１７の降下ストロークの増大に伴い、収納ラック１７の最上部まで手が届くため、棚部２０を２箇所設けて収納ラック１７を３段構成としても、最上部の棚部２０内の収納物の出し入れが可能となり、収納ラック１７の容積をより有効的に活用することができる。
【００３１】
また、収納ラック１７の側板１９の外にも収納部２１を構成してあり、収納ラック１７の降下ストロークの増大に伴い、収納ラック１７の最上部まで手が届くため、収納ラック１７の側板１９外に収納部２３を設けても、収納物の出し入れが可能となり、収納ラック１７の外空間も有効的に活用することができる。
【００３２】
（実施例２）
図３は本実施例２の昇降式収納装置の収納ラック降下状態における側断面図である。
【００３３】
実施例１と異なる点は、回転アームを２本とも略くの字形アーム２５、２６により構成した点である。
【００３４】
なお、前記実施例と同一の構成については同一番号を附記して説明を省略する。
【００３５】
次に動作、作用について説明する。回転アームを２本とも略くの字形アーム２５、２６で、かつ屈曲形状を小さくすることにより、プレス加工時における回転アーム２５、２６の材料取りが良くなり、回転アーム２５、２６を安価に構成することができる。
【００３６】
（実施例３）
図４は本実施例３の昇降式収納装置の収納ラック降下状態における側断面図である。
【００３７】
実施例１および２と異なる点は、回転アームを略くの字形アーム２５と直線状アーム２７により構成した点である。
【００３８】
なお、前記実施例と同一の構成については同一番号を附記して説明を省略する。
【００３９】
次に動作、作用について説明する。回転アームを略くの字形アーム２５と直線状アーム２７により構成することにより、さらに回転アーム２７の材料取りを良くすることができる。
【００４０】
（実施例４）
図５は本実施例４の昇降式収納装置の収納ラック降下状態における側断面図、図６は同平面断面図である。
【００４１】
実施例１、２および３と異なる点は、２本の回転アーム２８、２９を別々の平面上に設置した点である。
【００４２】
なお、前記実施例と同一の構成については同一番号を附記して説明を省略する。
【００４３】
次に動作、作用について説明する。２本の回転アーム２８、２９を別々の平面上に設置することにより、第１回転アーム２８の屈曲形状を小さくすることや、あるいは第２回転アームを直線形状にすることが可能となり、回転アーム２８、２９の材料取りを良くすることができる。
【００４４】
以上各実施例の昇降式収納装置によれば次のような技術的意義を見出すことができるものである。
【００４５】
（１）収納ラックの最大降下位置において、収納キャビネットの底板と収納ラックの上端を略同等高さに構成してあり、収納ラックの上端が収納キャビネットの底板と略同等高さまで降下することにより、収納ラックの降下ストロークが増大し、収納キャビネットの底板面まで見えやすくなるため、落下物等が発生しても容易に確認することができ、そして、取り出すことができたり、回転アームと昇降支持装置の軸着部も見えやすくなるため、ゆるみ等の有無を容易に確認することができるという効果がある。また、収納ラックを略同等高さに降下するには回転アームを延長する必要があるが、回転アームを延長することにより大きな円弧の回動となり、収納ラックに従来仕様のコーナー逃がし部を設ける必要がなくなって、収納ラックの底面すべてに平面的な収納面積を確保することができる。また、回転アームを略Ｓの字形アームと略くの字形アームにより構成することにより、略Ｓの字形アームと略くの字形アームとの干渉がなくなり、収納ラックを所定位置まで降下することができる。
【００４６】
（２）収納ラックの底面を前面から背面部まで平面形状としてあり、収納ラックの底面すべてに平面的な収納面積を確保でき、収納容積を拡大することができる。
【００４７】
（３）収納ラックの上方に両側板間を連結するコの字形状の横連結部材を備えてあり、収納ラックと空間を有したコの字形状の横連結部材のため、収納ラックの降下位置において妨げになることなく、収納キャビネットの底板面を容易に確認することができる。
【００４８】
（４）２本の回転アームを同一平面上に設置してあり、回転アームの動作に必要な空間が最小限で済むことになり、その分収納ラックの容積を拡
大することができる。
【００４９】
（５）２本の回転アームにより平行リンクを構成してあり、極めて簡単な構成で、収納ラックの水平状態を維持することができる。
【００５０】
（６）収納ラックに複数の棚部を構成してあり、収納ラックの効果ストロークの増大に伴い、収納ラックの最上部まで手が届くため、棚部を２箇所設けて収納ラックを３段構成としても、最上部の棚部内の収納物の出し入れが可能となり、収納ラックの容積をより有効的に活用することができる。
【００５１】
【発明の効果】
以上説明したように本発明の昇降式収納装置によれば、収納キャビネットの昇降性など使い勝手を大いに向上するとともに、収納ラックの収納性能も高めることができるものである。
【図面の簡単な説明】
【図１】  本発明の実施例１の昇降式収納装置の収納ラック降下状態における側断面図
【図２】  同正面図
【図３】  本発明の実施例２の昇降式収納装置の収納ラック降下状態における側断面図
【図４】  本発明の実施例３の昇降式収納装置の収納ラック降下状態における側断面図
【図５】  本発明の実施例４の昇降式収納装置の収納ラック降下状態における側断面図
【図６】  同平面断面図
【図７】  従来の昇降式収納装置における外観斜視図
【図８】  同収納ラック降下状態における側断面図
【符号の説明】
１１  収納キャビネット
１１ａ  底板
１２  第１回転アーム（略Ｓの字形アーム）
１３  第２回転アーム（略くの字形アーム）
１４  昇降支持装置
１７  収納ラック
１８  本体
１８ａ  上端
１９  側板
２０  棚部
２２  横連結部材
２３  収納部
２４  補正手段
２５  略くの字形アーム
２６  略くの字形アーム
２７  直線状アーム
２８  第１回転アーム
２９  第２回転アーム
【図１】
0003757681.tif 000002
【図２】
0003757681.tif 000003
【図３】
0003757681.tif 000004
【図４】
0003757681.tif 000005
【図５】
0003757681.tif 000006
【図６】
0003757681.tif 000007
【図７】
0003757681.tif 000008
【図８】
0003757681.tif 000009